(57)【特許請求の範囲】
【請求項１】
入力された画像をデジタル記録する記録手段とディスプレイ装置とが接続されたネットワーク上に設けられ、前記記録手段が記録するデジタル信号に対応したデコーダを前記ネットワーク上に接続されたディスプレイ装置が有しているか否か及び前記記録手段が前記デジタル信号に対応したデコーダを有しているか否かの少なくとも一方を検出する検出手段と、
前記記録手段が記録するデジタル信号に相当するデジタル信号又は前記記録手段が記録するデジタル信号に相当するアナログ信号を夫々伝送する第１及び第２の信号経路と、
前記検出手段の検出結果に基づいて前記第１及び第２の信号経路の一方を選択して前記記録手段が記録するデジタル信号に相当するデジタル信号又は前記記録手段が記録するデジタル信号に相当するアナログ信号を前記ディスプレイ装置に供給する入力制御手段とを具備したことを特徴とする記録再生装置。
【請求項２】
前記検出手段は、前記ネットワークのデジタルインターフェースを利用して前記ディスプレイ装置及び前記記録手段の少なくとも一方についてデコーダを有しているか否かの検出を行うことを特徴とする請求項１に記載の記録再生装置。
【請求項３】
前記ディスプレイ装置は、前記第１及び第２の信号経路のいずれか一方の信号経路によって伝送された信号を選択して表示させるための選択手段を有し、
前記入力制御手段は、前記検出結果に基づいて前記選択手段を制御することを特徴とする請求項１に記載の記録再生装置。
【請求項４】
前記入力制御手段は、前記第１及び第２の信号経路の少なくとも一方が実際にケーブル接続されて使用可能であるか否かを検出する手段を具備したことを特徴とする請求項１に記載の記録再生装置。
【請求項５】
前記第２の信号経路は、複数であり、
前記入力制御手段は、複数の第２の信号経路に対するケーブル接続有無の状態を記憶した記憶手段を具備したことを特徴とする請求項１に記載の記録再生装置。
【請求項６】
前記入力制御手段は、前記記録手段が記録するデジタル信号が著作権情報を有する場合には、前記第２の信号経路を経由した前記アナログ信号の伝送に際して、前記著作権情報に対応した制限を付与する制限付与手段を具備したことを特徴とする請求項１に記載の記録再生装置。
【請求項７】
前記制限付与手段は、前記記録手段が記録するデジタル信号の著作権情報によって１回のみのコピー許可が与えられている場合には、前記アナログ信号に記録禁止を示すコピー制御信号を付加して前記第２の信号経路に出力するか又は前記アナログ信号の前記第２の信号経路への出力を禁止することを特徴とする請求項６に記載の記録再生装置。
【発明の詳細な説明】
【０００１】
【発明の属する技術分野】
本発明は、デジタルインターフェースによってネットワークに接続された記録再生装置に関する。
【０００２】
【従来の技術】
従来、アナログ画像信号の記録にはアナログ記録機器であるＶＨＳ（ビデオテープレコーダ）が用いられている。図２はこのようなアナログ記録を行うシステムを示すブロック図である。
【０００３】
図２において、放送用デコーダであるセットトップボックス（以下、ＳＴＢという）１とＶＨＳ２とテレビジョン受像機（以下、ＴＶという）３とはアナログ配線によって接続されている。ＳＴＢ１は、デコードして得た画像及び音声信号をＶＨＳ２に供給する。ＶＨＳ２は入力された画像及び音声信号をアナログ記録する。ＶＨＳ２からの再生信号をＴＶ３に与えることで、記録した画像及び音声の視聴が行われる。
【０００４】
ところで、ＳＴＢ１の画像音声をＶＨＳ２に記録する場合には、記録中の画像をＴＶ３に表示させることによって、ユーザーは記録操作が正しいか否か、即ち、記録しようとする番組と実際に記録される番組とが一致しているかを確認することができる。この場合には、図２の配線状態において、ＳＴＢ１からの出力をＶＨＳ２で記録しているときに、ＴＶ３側でビデオ入力を選択する。これにより、ＴＶ３には現在ＶＨＳ２で記録中の番組が表示される。
【０００５】
即ち、この場合にＴＶ３上に映出される画像は、ＶＨＳ２に記録される画像であって、ＶＨＳ２の磁気ヘッド等の記録再生系を通過していない画像（以下、ＥＥスルー画像という）である。このＥＥスルー画像によって、ＶＨＳ２によって希望した番組が録画されているか否かを確認することができる。即ち、図２の例においてＥＥスルー画像を表示させるためのユーザーの処理は、ＳＴＢ１のアナログ出力端子をＶＨＳ２のアナログ入力端子に接続し、ＶＨＳ２のアナログ出力端子をＴＶ３のアナログ入力端子に接続すると共に、リモコン装置等によってＴＶ３にビデオ入力を選択させることである。
【０００６】
このように、図２の例において、ＥＥスルー画像を視聴するための接続法は１種類しかなく、信号経路の選択法も１種類である。
【０００７】
最近、画像及び音声のデジタル処理が普及してきており、記録及び再生をデジタル化したＤＶＨＳ（デジタルビデオレコーダ）も商品化されている。
【０００８】
図３はこのようなＤＶＨＳ（デジタルビデオテープレコーダ）を用いたシステムを示すブロック図である。
【０００９】
ＳＴＢ５はＣＳやＢＳ等のデジタル放送信号を受信するデジタルチューナである。ＳＴＢ５は受信したデジタル放送信号からＭＰＥＧ２−ＴＳ（トランスポートストリーム）を得ることができる。ＳＴＢ５とＤＶＨＳ６とはＩＥＥＥ１３９４等のデジタルインターフェースを介して接続されている。ＤＶＨＳ６としては、例えばストリーマとして機能する装置やセルフエンコード機能を有する装置がある。
【００１０】
ＳＴＢ５によって受信した放送番組のＭＰＥＧ２−ＴＳはデジタルインターフェースを介してＤＶＨＳ６に供給される。ＤＶＨＳ６がストリーマタイプである場合には、ＤＶＨＳ６は入力されたＭＰＥＧ２−ＴＳをそのまま記録する。
【００１１】
ここで、ユーザーが録画の確認のために、ＥＥスルー画像を見ようとするものとする。この場合において、ＴＶ７がＭＰＥＧデコーダを有していないアナログタイプである場合には、ストリーマタイプのＤＶＨＳ６もデコーダを有していないので、ＤＶＨＳ６からＥＥスルー画像を供給することはできない。そこで、この場合には、ＳＴＢ５からアナログ出力をＴＶ７に供給することで、ＥＥスルー画像と同様の画像を得る。従って、この場合には、ＳＴＢ５のアナログ出力端子とＴＶ７のアナログ入力端子とを接続する必要がある。
【００１２】
一方、ＴＶ７がＭＰＥＧデコーダを有しているものとすると、ＥＥスルー画像はＤＶＨＳ６のデジタル出力を直接ＴＶ３に供給することによって確認することができる。例えば、ＳＴＢ５、ＤＶＨＳ６及びＴＶ３をＩＥＥＥ１３９４等のデジタルインターフェースを介してディージーチェイン接続し、ＳＴＢ５からのＭＰＥＧ２−ＴＳをＤＶＨＳ６に伝送して記録させると当時に、このチャンネルのＴＳデータをＴＶ７にもデジタル入力させるのである。
【００１３】
ＴＶ７は入力されたＴＳデータをＭＰＥＧデコーダを用いてデコードし、画面上に映出する。これにより、ＤＶＨＳ６において記録している番組をＴＶ７によって確認することができる。
【００１４】
従って、ＤＶＨＳ６としてストリーマタイプのものを採用した場合には、ＴＶ７のデコーダの有無に応じて、図３の実線及び破線に示すように、記録画像の確認を行うために、ＴＶ７側ではアナログ入力とデジタル入力との切換えが必要である。
【００１５】
また、ＤＶＨＳ６としてセルフエンコード機能を有するものを採用した場合には、ＤＶＨＳ６がＭＰＥＧ２のエンコーダ及びデコーダを内蔵していることがある。
【００１６】
この場合には、ＤＶＨＳ６は、デジタル入力ソースをデジタル記録するだけでなく、アナログ入力ソースについてもエンコードしてデジタル記録することができる。また、ＤＶＨＳ６は、デジタル記録したデータをそのままデジタル出力するだけでなく、デコードすることによってアナログ出力することもできる。
【００１７】
つまり、ＤＶＨＳ６は、デジタル入力−デジタル出力、デジタル入力−アナログ出力、アナログ入力−デジタル出力、アナログ入力−アナログ出力が可能となる。従って、ＤＶＨＳ６は、ＩＥＥＥ１３９４等によるデジタル入出力端子だけでなくアナログ入出力端子も備えている。
【００１８】
このように、この場合には、ＳＴＢ５の出力をアナログ又はデジタルのいずれの形式でＤＶＨＳ６に与えてもデジタル記録可能であり、また、ＤＶＨＳ６はＴＶ７に応じて、アナログ又はデジタルのいずれの形式で出力することも可能である。従って、ユーザーがＥＥスルー画像を確認するための入出力経路としては種々のパターンが考えられる。
【００１９】
【発明が解決しようとする課題】
このように、従来、ＳＴＢ、ＤＶＨＳ及びＴＶを接続して記録確認のためのＥＥスルー画像等を得るための接続作業及び選択操作は、ＭＰＥＧエンコーダ／デコーダの有無等の機器の機能に応じて異なり、ユーザーの接続作業及び選択操作等は極めて煩雑で、且つ専門知識が必要であり、一般ユーザーにとっては困難であるという問題点があった。
【００２０】
本発明はかかる問題点に鑑みてなされたものであって、記録確認のためのＥＥスルー画像等を得るための入出力経路の選択等を最適な伝送形態を選択して自動設定することができる記録再生装置を提供することを目的とする。
【００２１】
【課題を解決するための手段】
本発明に係る記録再生装置は、入力された画像をデジタル記録する記録手段とディスプレイ装置とが接続されたネットワーク上に設けられ、前記記録手段が記録するデジタル信号に対応したデコーダを前記ネットワーク上に接続されたディスプレイ装置が有しているか否か及び前記記録手段が前記デジタル信号に対応したデコーダを有しているか否かの少なくとも一方を検出する検出手段と、前記記録手段が記録するデジタル信号に相当するデジタル信号又は前記記録手段が記録するデジタル信号に相当するアナログ信号を夫々伝送する第１及び第２の信号経路と、前記検出手段の検出結果に基づいて前記第１及び第２の信号経路の一方を選択して前記記録手段が記録するデジタル信号に相当するデジタル信号又は前記記録手段が記録するデジタル信号に相当するアナログ信号を前記ディスプレイ装置に供給する入力制御手段とを具備したものである。
【００２２】
本発明においては、検出手段によって、ネットワーク上に接続されたディスプレイ装置及び記録手段の少なくとも一方についてデコーダを有しているか否かの検出が行われる。入力制御手段は、検出手段の検出結果に基づいて、記録手段が記録するデジタル信号に相当するデジタル信号又はアナログ信号を第１又は第２の経路を選択してディスプレイ装置に供給する。
【００２３】
【発明の実施の形態】
以下、図面を参照して本発明の実施の形態について詳細に説明する。図１は本発明に係る記録再生装置の一実施の形態を示すブロック図である。本実施の形態はＤＶＨＳに適用したものである。
【００２４】
図１において、ＳＴＢ１１、ＤＶＨＳ１２及びＤＴＶ（デジタルＴＶ）１３は、例えばＩＥＥＥ１３９４等のデジタルインターフェース規格のケーブル１４，１５によって接続されている。即ち、ＳＴＢ１１の端子Ｄ1 とＤＴＶ１３の端子Ｄ2 とをケーブル１４によって接続し、ＤＴＶ１３の端子Ｄ3 とＤＶＨＳ１２の端子Ｄ4 とをケーブル１５によって接続している。
【００２５】
また、ＳＴＢ１１、ＤＶＨＳ１２及びＤＴＶ１３は、アナログケーブルによっても接続されている。即ち、ＳＴＢ１１のアナログ出力端子Ａo1はＤＴＶ１３のアナログ入力端子Ａi1に接続され、ＤＶＨＳのアナログ出力端子Ａo2，Ａo3は夫々ＤＴＶ１３のアナログ入力端子Ａi2，Ａi3に接続されている。なお、ＤＴＶ１３はアナログ出力端子Ａo4を有している。
【００２６】
ソース機器であるＳＴＢ１１は、復調回路２１、ＴＳＰ処理回路２２、デコーダ２３及び１３９４によって構成されている。復調回路２１には、放送信号が供給される。復調回路２１は、入力された放送信号に対する復調処理によって、ＭＰＥＧ２−ＴＳを得てトランスポートストリーム処理回路（以下、ＴＳＰ処理回路という）２２に出力する。ＴＳＰ処理回路２２は、入力されたＭＰＥＧ２−ＴＳからユーザーが希望する番組を選択してデコーダ２３及び１３９４処理回路２４に出力する。
【００２７】
デコーダ２３は、入力されたパケットストリームをデコードして、アナログの映像音声信号を得て、出力端子Ａo1を介して出力するようになっている。１３９４処理回路２４は、ＩＥＥＥ１３９４規格のデジタルインターフェース処理を行うものであり、端子Ｄ1 に接続されているケーブル１４を介してデータを送出すると共に、ケーブル１４上のデータを取込むことができる。例えば、１３９４処理回路２４は、入力されたパケットストリームをＩＥＥＥ１３９４規格のデータフォーマットに変換して、デジタル出力端子Ｄ1 からケーブル１４上に送出する。
【００２８】
ＤＴＶ１３は、１３９４処理回路３１、デコーダ３２、セレクタ３３、モニター３４及び入力制御切替回路３５によって構成されている。１３９４処理回路３１は、ＩＥＥＥ１３９４規格のデジタルインターフェース処理を行うものであり、端子Ｄ2 ，Ｄ3 を介して夫々ケーブル１４，１５上にデータを送出すると共に、ケーブル１４，１５上のデータを取込んでデコーダ３２に出力することができるようになっている。
【００２９】
１３９４処理回路３１は、端子Ｄ2 ，Ｄ3 を介して入力されたＩＥＥＥ１３９４規格のストリームを原信号のストリーム（例えばＭＰＥＧ２−ＴＳ）に戻してデコーダ３２に出力する。デコーダ３２は、入力されたストリームをデコードして、アナログ映像音声信号を得てセレクタ３３に出力する。
【００３０】
セレクタ３３にはデコーダ３２の出力及びアナログ入力端子Ａi1乃至Ａi3から映像音声信号が与えられ、入力制御切替回路３５に制御されて、１つの映像音声信号を選択してモニター３４に出力するようになっている。入力制御切替回路３５は、ユーザー操作に基づいてセレクタ３３の選択を制御することができると共に、１３９４処理回路３１からの指示信号に従って、セレクタ３３の選択を制御することができるようになっている。
【００３１】
モニター３４はセレクタ３３から入力された映像音声信号に基づく映像を映出すると共に音声を音声出力する。なお、セレクタ３３は、入力された映像音声信号の１つを選択して出力端子Ａo4から外部に出力することができるようになっている。
【００３２】
ＤＶＨＳ１２は、１３９４処理回路２９によって、端子Ｄ4 に接続されたケーブル１５を介してデータを送受することができると共に、アナログ入力端子Ａi4を介してアナログの映像音声信号を取込むことができるようになっている。
【００３３】
入力端子Ａi4を介して入力された映像音声信号はセレクタ２５に供給される。セレクタ２５は、入力された映像音声信号をＥＥスルー画像としてそのまま端子Ａo2から外部に出力すると共にエンコーダ／デコーダ２６に供給することができるようになっている。
【００３４】
エンコーダ／デコーダ２６は、セレクタ２５からのアナログ映像音声信号をＭＰＥＧ２−ＴＳにエンコードして、１３９４処理回路２９及び記録再生処理回路２７に出力することができるようになっている。また、エンコーダ／デコーダ２６は１３９４処理回路２９又は記録再生処理回路２７から入力されたＭＰＥＧ２−ＴＳをデコードして、アナログ映像音声信号を端子Ａo3を介して出力することができるようになっている。
【００３５】
１３９４処理回路２９は、ケーブル１５を介して入力されたＩＥＥＥ１３９４フォーマットのストリームを元のデータストリーム（例えばＭＰＥＧ２−ＴＳ）に戻して、エンコーダ／デコーダ２６及び記録再生処理回路２７に出力すると共に、エンコーダ／デコーダ２６又は記録再生処理回路２７からのＭＰＥＧ２−ＴＳをＩＥＥＥ１３９４フォーマットのデータに変換してケーブル１５上に送出することができるようになっている。
【００３６】
記録再生処理回路２７は、入力されたＭＰＥＧ２−ＴＳに所定の記録処理を施して、記録媒体２８上に記録すると共に、記録媒体２８に記録されているデータを再生して１３９４処理回路２９及びエンコーダ／デコーダ２６に出力するようになっている。
【００３７】
本実施の形態においては、ＤＶＨＳ１２において記録する画像の確認のための映像音声出力の経路をコントローラ３０によって自動設定するようになっている。コントローラ３０は、例えば、ＩＥＥＥ１３９４デジタルインターフェースを利用して、自機及びＤＴＶ１３等の機能等を検出し、検出結果に基づいて、ＤＶＨＳ１２及びＤＴＶ１３の入出力経路を決定するようになっている。
【００３８】
従って、コントローラ３０はＤＶＨＳ１２上に設ける必要はなく、ＩＥＥＥ１３９４規格のネットワークに接続されたいずれの機器上に設けもよく、また、ＩＥＥＥ１３９４のネットワークに接続された独立の機器として設けてもよい。
【００３９】
コントローラ３０は、ＤＶＨＳ１２内の各部を制御して入出力経路を決定することができると共に、ＳＴＢ１１を制御してその入出力経路を決定することもできる。更に、コントローラ３０は、ＤＴＶ１３の１３９４処理回路３１に信号を送信して、入力制御切替回路３５を制御することもできるようになっている。
【００４０】
なお、本実施の形態においては、ＤＶＨＳ１２のエンコーダ／デコーダ２６及びＤＴＶ１３のデコーダ３２は必須の構成ではない。エンコーダ／デコーダ２６を有していないＤＶＨＳを用いてもよく、また、デコーダ３２を有していないＤＴＶを用いてもよい。
【００４１】
次に、このように構成された実施の形態の動作について説明する。
【００４２】
ＳＴＢ１１で受信したＭＰＥＧ２−ＴＳ信号をＩＥＥＥ１３９４デジタルインタフェースを経由して、ＤＶＨＳ１２で記録する際に、記録画像をＤＴＶ１３において確認する動作について説明する。
【００４３】
ＳＴＢ１１の復調回路２１は、受信した放送信号を復調してＭＰＥＧ２−ＴＳをＴＳＰ処理回路２２に出力する。ＴＳＰ処理回路２２はユーザーの選択操作に基づく番組のＭＰＥＧ２−ＴＳをデコーダ２３及び１３９４処理回路２４に出力する。
【００４４】
ここで、ユーザーが受信中の放送番組の記録を指示するものとする。１３９４処理回路２４はＴＳＰ処理回路２２からのＭＰＥＧ２−ＴＳを端子Ｄ1 ，ケーブル４１、端子Ｄ2 （経路Ｒ11）、１３９４処理回路３１、端子Ｄ3 、ケーブル１５、端子Ｄ4 （経路Ｒ21）を経由してＤＶＨＳ１２に送出する。
【００４５】
１３９４処理回路２９は、記録番組のＭＰＥＧ２−ＴＳを取込んで記録再生処理回路２７に与える。記録再生処理回路２７は入力されたＭＰＥＧ２−ＴＳに所定の記録信号処理を施して記録媒体２８に記録する。
【００４６】
ここで、ユーザーが記録番組の確認を指示するものとする。そうすると、コントローラ３０は、先ず、ネットワーク上に接続されているディスプレイ装置を確認し、デコーダを有しているか否かを検出する。
【００４７】
例えば、コントローラ３０は、ＩＥＥＥ１３９４規格で規定しているコンフィグレーションＲＯＭ（ConfigurationRom）の所定のアドレスに、ＭＰＥＧ２デコーダの有無を記述しておく方法で、ディスプレイ装置のデコーダの有無を確認することができる。即ち、この方法では、ＤＶＨＳ３０のコントローラ３０は１３９４処理回路２９，３１を介してＤＴＶ１３のコンフィグレーションＲＯＭ空間の情報を読み出して、ＭＰＥＧ２デコーダが存在することを検出する。
【００４８】
また、ネットワーク上に接続されたディスプレイ装置がデコーダを有しているか否かを問い合わせるために、ＩＥＥＥ１３９４規格のＡＶ／Ｃコマンドを新たに規定してもよい。この場合には、コントローラ３０がこのコマンドをＤＴＶ１３に送出し、ＤＴＶ１３がＭＰＥＧ２デコーダの有無をステータスとして通知することによって、コントローラ３０はＭＰＥＧ２デコーダの有無を把握することができる。
【００４９】
こうして、コントローラ３０は、ＤＴＶ１３がＭＰＥＧ２のデコーダ３２を有していることを検出する。この場合には、ＤＴＶ１３はＩＥＥＥ１３９４を介してＭＰＥＧ２−ＴＳを受信してデコードすることができる。コントローラ３０は、１３９４処理回路２９，２４を介してＳＴＢ１１を制御して、ＴＳＰ処理回路２２からのＭＰＥＧ２−ＴＳを１３９４処理回路２４から端子Ｄ1 ，ケーブル４１、端子Ｄ2 （経路Ｒ11）を経由してＤＴＶ１３に出力させる。
【００５０】
例えば、コントローラ３０は、ＳＴＢ１１の１３９４処理回路２４からＤＶＨＳ１２宛に出力されているアイソクロノス（Isochronous ）パケットのチャンネル番号を、ＤＶＨＳ１２だけでなくＤＴＶ１３も受信するように指定することで、ＭＰＥＧ２−ＴＳの出力経路の指定が可能である。
【００５１】
ＤＴＶ１３の１３９４処理回路３１は、端子Ｄ2 を介して記録番組のＭＰＥＧ２−ＴＳを取込んで、デコーダ３２に出力する。デコーダ３２は、記録番組のＭＰＥＧ２−ＴＳをデコードして、映像音声信号をセレクタ３３に出力する。セレクタ３３は、入力制御切替回路３５制御されて、デコーダ３２からの映像音声信号をモニター３４に出力する。こうして、モニター３４上において、ＥＥスルー画像を参照することができる。
【００５２】
入力制御切替回路３５は、コントローラ３０からの指示が１３９４処理回路３１から与えられて、セレクタ３３にデコーダ３２を選択させている。なお、入力制御切替回路３５は、ユーザー操作に基づいてセレクタ３３にデコーダ３２を選択させることもある。
【００５３】
このように、図１の例では、放送された記録番組の記録媒体２８までの信号経路は、復調回路２１、ＴＳＰ処理回路２２、１３９４処理回路２４、経路Ｒ11，Ｒ21、１３９４処理回路２９及び記録再生処理回路２７である。
【００５４】
また、記録番組の確認のためのモニター３４までの信号経路は、復調回路２１、ＴＳＰ処理回路２２、１３９４処理回路２４、経路Ｒ11、１３９４処理回路３１、デコーダ３２及びセレクタ３３である
次に、ＤＴＶ１３がデコーダ３２を有していないものとする。記録番組の確認が指示されると、コントローラ３０はＤＴＶ１３がデコーダを有していないことを検出する。この場合には、コントローラ３０は、更に記録機器（図１では自機）がデコーダを有しているか否かを検出する。図１の例ではコントローラ３０は記録機器であるＤＶＨＳ１２に内蔵されているので、ＤＶＨＳ１２のデコーダの有無は容易に判断可能である。また、ＤＶＨＳ１２のコンフィグレーションＲＯＭ内にデコーダの有無についての情報を記憶させておくことで、コントローラ３０がネットワーク上のいずれの位置にあっても、デコーダの有無を判断可能である。
【００５５】
ＤＴＶ１３がＭＰＥＧ２デコーダを有していない場合には、記録番組の確認のために、記録画像のアナログ映像音声信号をＤＴＶ１３に供給する必要がある。コントローラ３０は、ＤＶＨＳ１２内にエンコーダ／デコーダ２６が存在することを検出すると、エンコーダ／デコーダ２６によってデコードして得たアナログ映像音声信号をＤＴＶ１３に供給する。
【００５６】
即ち、コントローラ３０は、１３９４処理回路２９に記録番組のＭＰＥＧ２−ＴＳを記録再生処理回路２７に供給すると共に、エンコーダ／デコーダ２６にも供給する。エンコーダ／デコーダ２６は、入力されたＭＰＥＧ２−ＴＳをデコードして、アナログ映像音声信号をセレクタ２５に出力する。
【００５７】
セレクタ２５は、コントローラ３０に制御されて、エンコーダ／デコーダ２６からの映像音声信号を端子Ａo2から出力させる。この映像音声信号は経路Ｒ22を経由してＤＴＶ１３の端子Ａi2に取込まれ、セレクタ３３に供給される。セレクタ３３は、入力制御切替回路３５に制御されて、端子Ａi2からの映像音声信号をモニター３４に供給する。
【００５８】
従って、ＤＴＶ１３がデコーダを有しておらず、ＤＶＨＳ１２がデコーダを有している場合の記録画像確認のためのモニター３４までの信号経路は、復調回路２１、ＴＳＰ処理回路２２、１３９４処理回路２４、経路Ｒ11、経路Ｒ21、１３９４処理回路２９、エンコーダ／デコーダ２６、セレクタ２５、経路Ｒ22及びセレクタ３３となる。
【００５９】
次に、ＤＴＶ１３だけでなく、ＤＶＨＳ１２においてもＭＰＥＧ２デコーダを有していないものとする。この場合には、デジタル記録する番組のアナログ出力をＤＶＨＳ１２から得ることができないので、ＤＴＶ１３にはＳＴＢ１１からのアナログ映像音声信号を与える。コントローラ３０は、１３９４処理回路２９，２４を介してＳＴＢ１１に指示を与えて、デコーダ２３からのアナログ映像音声信号を出力させる。
【００６０】
デコーダ３２からのアナログ出力は、端子Ａo1から経路Ｒ13を介してＤＴＶ１３の端子Ａi1に供給される。セレクタ３３は端子Ａi1からのアナログ映像音声信号をモニター３４に供給する。
【００６１】
従って、この場合には、記録画像確認のためのモニター３４までの信号経路は、復調回路２１、ＴＳＰ処理回路２２、デコーダ２３、経路Ｒ13及びセレクタ３３である。
【００６２】
ところで、ＤＶＨＳ１２が図１のようにアナログ入力端子を有している場合には、ＳＴＢ１１からの記録番組をアナログ入力し、ＭＰＥＧ２−ＴＳにデコードした後デジタル記録することも可能である。本実施の形態においては、この場合においても、記録番組の確認のための画面表示に必要な信号経路を自動設定することができる。
【００６３】
コントローラ３０は、先ず、ネットワーク上のディスプレイ装置がデコーダを有しているか否かを検出する。図１のようにＤＴＶ１３がデコーダを有している場合には、コントローラ３０は、ＤＴＶ１３にＭＰＥＧ２−ＴＳを与える。
【００６４】
即ち、コントローラ３０は、セレクタ２５を制御して、端子Ａi4から入力されたＳＴＢ１１のアナログ映像音声信号出力をエンコーダ／デコーダ２６に与える。エンコーダ／デコーダ２６は、入力された記録番組の映像音声信号をデコードしてＭＰＥＧ２−ＴＳに変換した後記録再生処理回路２７及び１３９４処理回路２９に与える。
【００６５】
記録再生処理回路２７は、入力されたＭＰＥＧ２−ＴＳを記録媒体２８にデジタル記録する。一方、１３９４処理回路２９は、コントローラ３０に制御されて、エンコーダ／デコーダ２６からのＭＰＥＧ２−ＴＳを端子Ｄ4 から経路Ｒ21を介してＤＴＶ１３の端子Ｄ3 に伝送する。
【００６６】
ＤＴＶ１３の１３９４処理回路３１は、経路２１を介して伝送されたＭＰＥＧ２−ＴＳを取込んでデコーダ３２に出力する。デコーダ３２は入力されたＭＰＥＧ２−ＴＳをデコードして、セレクタ３３を介してモニター３４に供給する。こうして、モニター３４において記録番組の確認が可能である。
【００６７】
従って、この場合に記録番組を確認するためのモニター３４までの信号経路は、復調回路２１、ＴＳＰ処理回路２２、デコーダ２３、端子Ａi4、セレクタ２５、エンコーダ／デコーダ２６、１３９４処理回路２９、経路Ｒ21、１３９４処理回路３１、デコーダ３２及びセレクタ３３となる。
【００６８】
なお、この場合には、ＥＥスルー画像を得るために、ＤＶＨＳ１２の端子Ａi4を介して入力されたアナログ映像音声信号をセレクタ２５が端子Ａo2から経路Ｒ22経由でＤＴＶ１３に供給する方法も考えられる。しかし、モニタ表示するＥＥスルー画像としては、記録機器において記録するデータになるべく一致している必要から、記録するデジタル信号であるエンコーダ／デコーダ２６の出力をＤＴＶ１３に供給するようにした方がよい。これにより、圧縮率が大きく画質が劣化した画像が記録されてしまう場合でも、ＥＥスルー画像によってその確認が可能である。
【００６９】
次に、ＤＴＶ１３だけでなくＤＶＨＳ１２においてもデコーダを有していない場合において、ＤＶＨＳ１２がアナログ入力した記録番組をデジタル記録するものとする。この場合に、記録番組を確認するときには、コントローラ３０は、ＤＶＨＳ１２に入力されたアナログ映像音声信号をそのまま出力してＤＴＶ１３に与える。
【００７０】
即ち、コントローラ３０は、セレクタ２５を制御して、端子Ａi4から入力された映像音声信号を、端子Ａo2を介してそのままＤＴＶ１３に供給させる。ＤＴＶ１３はセレクタ３３によって端子Ａi2からの映像音声信号を選択してモニター３４に与える。
【００７１】
従って、この場合には、記録番組を確認するためのモニター３４までの信号経路は、復調回路２１、ＴＳＰ処理回路２２、デコーダ２３、端子Ａi4、セレクタ２５、経路Ｒ22及びセレクタ３３である。
【００７２】
ところで、ＤＴＶ１３の入力制御切替回路３５は、ユーザー操作に基づいてセレクタ３３を切換え制御することができると共に、コントローラ３０に制御されて自動的にセレクタ３３を切換え制御することもできる。ＤＴＶ１３が図１のようにＭＰＥＧ２−ＴＳデコーダを有し、ＤＴＶ１３にＭＰＥＧ２−ＴＳ形式のＥＥスルー画像が入力される場合には、プラグの接続状態の把握等のＩＥＥＥ１３９４規格の機能を利用することで容易に入力制御切替回路３５を制御することができる。
【００７３】
しかし、記録番組の確認のためのアナログ映像音声信号がＤＴＶ１３に入力される場合には、入力制御切替回路３５がセレクタ３３をコントローラ３０の出力に応じて切換え制御するためには、コントローラ３０がアナログ入力端子の状態を把握しておく必要がある。そこで、本実施の形態においては、ユーザーの操作によって、コントローラ３０にアナログ入力端子Ａo1乃至Ａo4，Ａi1乃至Ａi3の接続状態を記憶させる。
【００７４】
図１の例では、ＳＴＢ１１のアナログ出力端子Ａo1がＤＴＶ１３アナログ入力端子Ａi1に接続され、ＤＶＨＳ１２のアナログ出力端子Ａo3がＤＴＶ１３のアナログ入力端子Ａi3に接続され、ＤＶＨＳ１２のアナログ出力端子Ａo2がＤＴＶ１３のアナログ入力端子Ａi2に接続されていることを、ユーザー操作によってコントローラ３０に記憶させるのである。
【００７５】
こうして、コントローラ３０は、アナログ端子の接続状態を把握することができ、記録番組の確認のためにＤＴＶ１３に出力するＥＥスルー画像の信号経路として全てのデジタル端子及びアナログ端子のいずれを用いればよいかを判断して、信号経路の設定及び入力制御切替回路３５への通知を行う。
【００７６】
なお、１３９４処理回路３１がいずれの端子からＥＥスルー画像が入力されるかをコントローラ３０に問い合わせることによっても、信号経路の設定及び入力制御切替回路３５の通知が可能である。
【００７７】
また、実際にアナログ端子にケーブルが接続されているか否かを検出する方法としては、入力プラグのバイアス電圧を検出する方法が考えられる。バイアス電圧の電圧値によって、アナログ端子にケーブルが接続されているか否かを判断することができ、これにより、コントローラ３０による信号経路の自動設定の信頼性が向上する。なお、上述したように、ＩＥＥＥ１３９４規格では、ケーブル接続は規格上検出可能である。
【００７８】
なお、アナログ端子の接続状態が検出可能であるか否かに拘わらず、信号経路を構成する端子間にアナログケーブルを接続するように指示表示をモニター３４の表示画面上に表示させるようにしてもよい。
【００７９】
このように、本実施の形態においては、コントローラ３０がＩＥＥＥ１３９４デジタルインターフェースを介してネットワーク上のディスプレイ装置のデコーダの有無及び記録機器のデコーダの有無を検出することによって、記録番組の確認のための信号経路を決定しており、デコーダの有無及び接続状態等に応じた最適な信号経路を自動設定することができる。これにより、ユーザーは煩雑な作業及び専門知識を必要とすることなく、ＥＥスルー画像を視聴することができる。
【００８０】
ところで、ＥＥスルー画像は、ＩＥＥＥ１３９４規格等のデジタルインターフェースを介することなく、ＤＶＨＳ１２からＤＴＶ１３に送出可能である。このため、ＥＥスルー画像をＤＴＶ１３からアナログ出力した場合には、コピー管理情報を用いたコピープロテクト制御を行うことができない。
【００８１】
ＤＶＨＳ１２においてコンテンツ信号を記録すると同時に、ＥＥスルー画像をＤＴＶ１３のモニター３４に映出する場合には、ＤＴＶ１３はアナログ出力端子Ａo4からＥＥスルー画像の映像音声信号を出力することができる。ソースコンテンツが、１回のみのコピー許可を示すコピーワンス（CopyOnce）である場合には、本来一度記録すると、コピー管理情報はコピー禁止を示すコピーネバー（Copy  Never）に書き換えられる。しかし、ＥＥスルー画像については、コピーワンスが書き換えられることなくＤＴＶ１３に供給されるので、ＤＴＶ１３からのアナログ映像音声信号出力を記録機器において記録可能である。即ち、コピーワンスのコンテンツであっても、ＥＥスルー画像を利用することで、ＤＶＨＳ１２だけでなく他の記録機器においてもコピー可能となってしまう。つまり、ＥＥスルー信号は本来、記録するための信号ではなく、モニターするためだけの信号なのに、その信号を記録することにも使われてしまいかねないので、特にそのコンテンツに著作権がある場合、結果的に、１台に記録しつつモニターを経由してもう１台記録できてしまうことはコンテンツプロバイダの意思にそぐわない可能性がある。
【００８２】
この点を考慮して、記録するコンテンツ信号が著作権情報（コピー管理情報）を有する場合には、記録機器からディスプレイ装置に出力されるアナログ映像音声信号に制限を付与する。例えば、出力する映像音声信号に記録禁止を示すコピー制御信号を付加する方法がある。この方法にはマクロビジョン及びＣＧＭＳ−Ａ等があり、コピーネバーを付加して出力すればよい。
【００８３】
また、記録するコンテンツ信号が著作権情報を有する場合には、記録機器からアナログ出力を出力させないようにしてもよい。
【００８４】
【発明の効果】
以上説明したように本発明によれば、記録確認のためのＥＥスルー画像等を得るための入出力経路の選択等を最適な伝送形態を選択して自動設定することができるという効果を有する。
【図面の簡単な説明】
【図１】本発明に係る記録再生装置の一実施の形態を示すブロック図。
【図２】従来例を説明するためのブロック図。
【図３】従来例を説明するためのブロック図。
【符号の説明】
１１…ＳＴＢ、１２…ＤＶＨＳ、１３…ＤＴＶ、１４，１５…ケーブル、２４，２９，３１…１３９４処理回路、２５，３３…セレクタ、２６…エンコーダ／デコーダ、２７…記録再生処理回路、３０…コントローラ、３２…デコーダ、３５…入力制御切替回路。
【図１】
0003935300.tif 000002
【図２】
0003935300.tif 000003
【図３】
0003935300.tif 000004